(57)【要約】      （修正有）【課題】ホテル内のレストラン・会場でサーブする際にグラス中の飲み物がこぼれないようにコップを保持できるコップホルダを提供する。【解決手段】本考案に係るコップホルダ１００は、ゴブレット１０およびタンブラーの両方を保持可能なコップホルダ１００であり、ゴブレット１０のフット部１９を保持する板状部材３０と、板状部材３０の上に形成され、タンブラーを保持する環状壁部２０とを備えている。板状部材３０には、フット部１９が挿入可能な隙間Ｓを形成する複数の脚部３２が形成されている。板状部材３０および環状壁部２０には、ゴブレット１０のステム部１７が通過可能なステム開口部４０が形成されている。複数の脚部３２のうちの少なくとも一つの底面には磁石部材３５が設けられている。【選択図】図５
0003209460.tif 000002
【実用新案登録請求の範囲】
【請求項１】
ゴブレットおよびタンブラーの両方を保持可能なコップホルダであって、
ゴブレットのフット部を保持する板状部材と、
前記板状部材の上に形成され、タンブラーを保持する環状壁部と
を備え、
前記板状部材には、前記フット部が挿入可能な隙間を形成する複数の脚部が形成されており、
前記板状部材および前記環状壁部には、前記ゴブレットのステム部が通過可能なステム開口部が形成されており、
前記複数の脚部のうちの少なくとも一つの底面には、磁石部材が設けられている、コップホルダ。
【請求項２】
前記コップホルダは、盆と組み合わせて使用され、
前記盆の少なくとも主面は、磁性材料から構成されており、
前記磁石部材は、前記盆の主面に磁力によって固定され、
前記板状部材の中心部には、前記ゴブレットのステム部を保持する中心開口部が形成されており、
前記板状部材の部分に形成された前記ステム開口部は、前記中心開口部と連続して形成されている、請求項１に記載のコップホルダ。
【請求項３】
前記環状壁部は、上部が開口した円環状部材であり、
前記板状部材の前記中心開口部が形成された周囲の上面部は、前記タンブラーの底面を保持する部位であり、
前記板状部材の部分に形成された前記ステム開口部を規定する側面は、前記板状部材の中心から外側に向かって開口が大きくなるように形成されており、
前記複数の脚部は、少なくとも三本の脚部であり、
前記少なくとも三本の脚部の底面には、前記磁石部材が配置されている、請求項２に記載のコップホルダ。
【請求項４】
前記磁石部材は、前記脚部の前記底面にネジ留めで固定されている、請求項１から３の何れか一つに記載のコップホルダ。
【請求項５】
前記前記脚部の前記底面には、ねじ穴が形成されており、
前記磁石部材と前記底面との間にはワッシャが配置されている、請求項４に記載のコップホルダ。
【請求項６】
前記板状部材は、前記ステム開口部が形成されている部位との反対側の部位に突起部を備えている、請求項１から５の何れか一つに記載のコップホルダ。
【請求項７】
ゴブレットおよびタンブラーの両方を保持可能なコップホルダであって、
タンブラーを保持する環状壁部と、
前記環状壁部から延びた複数の延長部と
を備え、
前記環状壁部には、前記ゴブレットのステム部が通過可能なステム開口部が形成されており、
前記複数の延長部のそれぞれには、前記ゴブレットのフット部が挿入可能な隙間を形成する脚部が形成されており
前記複数の脚部のうちの少なくとも一つの底面には、磁石部材が設けられている、コップホルダ。
【請求項８】
前記コップホルダは、盆と組み合わせて使用され、
前記盆の少なくとも主面は、磁性材料から構成されており、
前記磁石部材は、前記盆の主面に磁力によって固定され、
前記環状壁部の底面には、板状部材が形成されており、
前記板状部材の中心部には、前記ゴブレットの前記ステム部を保持する中心開口部が形成されており、
前記板状部材の部分に形成された前記ステム開口部は、前記中心開口部と連続して形成されている、請求項７に記載のコップホルダ。
【請求項９】
前記環状壁部は、上部が開口した円環状部材であり、
前記環状壁部の底面に位置する前記板状部材は、円盤部材であり、
前記円盤部材のうちの前記中心開口部が形成された周囲の上面部は、前記タンブラーの底面を保持する部位であり、
前記円盤部材に形成された前記ステム開口部を規定する側面は、前記円盤部材の中心から外側に向かって開口が大きくなるように形成されている、請求項８に記載のコップホルダ。
【請求項１０】
前記複数の延長部は、少なくとも三本の延長部であり、
前記少なくとも三本の延長部の一つは、前記ステム開口部の反対側に配置されており、
当該反対側に配置された前記延長部の前記脚部は、他の前記延長部の前記脚部よりも短いことを特徴とする、請求項７から９の何れか一つに記載のコップホルダ。
【請求項１１】
前記磁石部材は、前記脚部の前記底面にネジ留めで固定されている、請求項７から１０の何れか一つに記載のコップホルダ。
【請求項１２】
ゴブレットを保持可能なコップホルダであって、
板状部材と、
前記板状部材から延びた複数の延長部と
を備え、
前記板状部材には、前記ゴブレットのステム部が通過可能なステム開口部が形成されており、
前記複数の延長部のそれぞれには、前記ゴブレットのフット部が挿入可能な隙間を形成する脚部が形成されており、
前記複数の脚部のうちの少なくとも一つの底面には、磁石部材が設けられている、コップホルダ。
【請求項１３】
前記コップホルダは、盆と組み合わせて使用され、
前記盆の少なくとも主面は、磁性材料から構成されており、
前記磁石部材は、前記盆の主面に磁力によって固定され、
前記板状部材の中心部には、前記ゴブレットのステム部を保持する中心開口部が形成されており、
前記板状部材の部分に形成された前記ステム開口部は、前記中心開口部と連続して形成されている、請求項１２に記載のコップホルダ。
【請求項１４】
前記板状部材の部分に形成された前記ステム開口部を規定する側面は、前記板状部材の中心から外側に向かって開口が大きくなるように形成されており、
前記複数の延長部は、少なくとも三本の脚部であり、
前記少なくとも三本の脚部のそれぞれの底面には、前記磁石部材が配置されており、
前記少なくとも三本の延長部の一つは、前記ステム開口部の反対側に配置されており、
当該反対側に配置された前記延長部の前記脚部は、他の前記延長部の前記脚部よりも短いことを特徴とする、請求項１２または１３に記載のコップホルダ。
【請求項１５】
前記板状部材は、略三角形の形状を有しており、
前記略三角形の各頂点から、前記延長部が延びており、
前記磁石部材は、前記脚部の前記底面にネジ留めで固定されている、請求項１２から１４の何れか一つに記載のコップホルダ。
【請求項１６】
ゴブレットを保持可能なコップホルダであって、
板状部材と、
前記板状部材の底面に形成された複数の脚部と
を備え、
前記板状部材には、前記ゴブレットのステム部が通過可能なステム開口部が形成されており、
前複数の脚部は、前記ゴブレットのフット部が挿入可能な隙間を形成する脚部であり、
前記複数の脚部のうちの少なくとも一つの底面には、磁石部材が設けられている、コップホルダ。
【請求項１７】
前記コップホルダは、盆と組み合わせて使用され、
前記盆の少なくとも主面は、磁性材料から構成されており、
前記磁石部材は、前記盆の主面に磁力によって固定され、
前記板状部材の中心部には、前記ゴブレットのステム部を保持する中心開口部が形成されており、
前記板状部材の部分に形成された前記ステム開口部は、前記中心開口部と連続して形成されている、請求項１６に記載のコップホルダ。
【請求項１８】
前記板状部材の部分に形成された前記ステム開口部を規定する側面は、前記板状部材の中心から外側に向かって開口が大きくなるように形成されており、
前記板状部材の底面には、前記脚部のよりも長さを有する支柱部が形成されており、
前記板状部材は、前記ステム開口部が形成されている部位との反対側の部位に突起部を備えている、請求項１６または１７に記載のコップホルダ。
【請求項１９】
前記板状部材は、楕円形または円形の形状を有しており、
前記磁石部材は、前記脚部の前記底面にネジ留めで固定されている、請求項１６から１８の何れか一つに記載のコップホルダ。
【請求項２０】
ゴブレットおよびタンブラーの両方を保持可能なコップホルダであって、
ゴブレットのフット部を保持する板状部材と、
タンブラーを保持する環状壁部と
を備え、
前記板状部材には複数の脚部が形成されており、
前記複数の脚部のうちの少なくとも一つの底面には、磁石部材が設けられている、コップホルダ。
【請求項２１】
コップホルダであって、
タンブラーを保持する環状壁部と、
正多面体の形状を有する板状部材と
を備え、
前記板状部材の裏面には、磁石部材が設けられている、コップホルダ。
【請求項２２】
前記板状部材は、正六角形の形状を有しており、
前記環状壁部の内部に花が挿入される、請求項２１に記載のコップホルダ。
【考案の詳細な説明】
【技術分野】
【０００１】
本考案は、コップホルダに関する。特に、ホテル内のレストラン・会場でサーブする際にコップ（グラス）中の液体がこぼれないように改良したコップホルダに関する。
【背景技術】
【０００２】
従来から、ガラス製や陶器製のコップに比べて安価で取り扱いが容易であるとともに、使い捨てができる紙コップが屋外やオフィスで多く使用されている。紙コップに熱い飲み物を入れた場合、紙コップの温度がその紙コップを持っている手に直接伝わりやすいために、紙コップを持っていられないときがある。そこで、紙コップ用のカップホルダーが提案されている（例えば、特許文献１参照）。
【０００３】
図１は、特許文献１に開示されたコップホルダ１０００を示している。図１に示したコップホルダ１０００は、紙コップ１１００を収納する開口部１２３０を構成するコップ保持体１２１０と、コップ保持体１２１０に連続して形成されている把持体１２５０とから構成されている。図１に示したコップホルダ１０００によれば、熱い飲料が入った紙コップ１１００でも把持体１２５０を手で持つことで、熱さを感じずに紙コップを保持できる。
【０００４】
また、冷たい飲料を保冷できるコップセットも提案されている（例えば、特許文献２参照）。図２は、特許文献２に開示されたコップセット２０００を示している。図２に示したコップセット２０００は、コップ２１００を収納する開口部２２３０を構成するホルダー本体部２２１０と、ホルダー本体部２２１０に取り付けられた持手２２５０とから構成されている。ホルダー本体部２２１０は、有底筒状の形状を有する保冷機能を持った部材である。図２に示したコップセット２０００によれば、冷たい飲料（ビールなど）をホルダー本体部２２１０で冷却しながら保持することができる。
【先行技術文献】
【特許文献】
【０００５】
【特許文献１】実用新案登録第３１８１９５２号公報
【特許文献２】特開２０１０−１４８８４９号公報
【考案の概要】
【考案が解決しようとする課題】
【０００６】
本願考案者は、ホテル内のレストラン・会場（結婚式会場、贈呈式会場、パーティ会場など）でサーブする際にコップ（またはグラス）中の液体がこぼれないようにすることを検討していた。通常、レストランにおいて、お客に飲み物を届ける場合は、コップ（グラス）に飲み物（例えば、ワイン・ビールなどのアルコールや、オレンジジュース・炭酸飲料や水などのドリンク）を入れた後に、それをお盆（トレイ）に載せて、テーブルに座っているお客に届ける。通常レストランではこのように飲み物のサーブを行うが、ホテル内のレストラン・会場では、少し事情が異なる。すなわち、通常のレストランでは、トレイ上のグラスが傾いて飲み物がお客にかかったとしても、その場で丁寧に謝罪したり、クリーニング代を支給する等で対応することができる。
【０００７】
一方、ホテル内のレストラン・会場では、高価な衣装（例えば、数百万から数千万円の和装など）を着た客が多数存在し、絶対に飲み物を高価な衣装にかけるようなことがあってはいけないという極めて緊張感の高い状況で飲み物のサーブをする必要がある。特に、テーブルとテーブルの間の狭いスペースを、飲み物が入ったグラスを片手でトレイに載せて、しかも迅速に移動する必要がある。パーティの時などは会場内での人の行き来も多く、サーブする人（ウエイター、ウエイトレス）は片手でトレイを支えている不安定な状態であるから、不意な接触で飲み物をお客にかけてしまう可能性があることは否定できない。
【０００８】
最上級のホテルでは、そのような不意なアクシデントでもトレイの上のグラスの飲み物をこぼさないように十分な訓練を施しているが、それでも、アクシデントをゼロにすることはできないので、高価な衣装に飲み物をかけてしまうことがある。その場合、謝罪だけではおさまらず、クリーニングをした後、直接、お客のもとに担当者がその衣装を持参することが慣例となっている。例えば、大阪のホテルが会場でパーティをしていた時に、衣装に飲み物がかけられた人が北海道に在住していたとしたならば、北海道まで持参する必要がある。もちろん、クリーニングした衣装を持参して謝罪したとしても、飲み物を衣服にかけてしまったという悪い評価が消えてなくなるものではない。
【０００９】
また、衣装に飲み物をかけないように、より安全に、ゆっくり移動してサーブした場合は、当然ながら、お客へ飲み物が届くのが遅くなり、お客への不満につながる。さらに、その不満を補うために、サーブする人を増やしたとしたら、パーティ運営のコスト（人件費）が上がるだけでなく、パーティ会場でサーブする人がすれ違う確率が上がり、かえって衣装に飲み物をかけてしまう可能性があがってしまうかもしれない。
【００１０】
そのような状況下で、本願考案者は、飲み物が入ったグラスをトレイの上に置いた状態で、簡単に迅速に安全にサーブできる手法はないか考えていた。特許文献１または２に示したように、コップやグラスを保持するカップホルダーは幾つか提案されているが、従来のカップホルダー（グラスホルダー）は、ホテル内のレストラン・会場では、高価な衣装に飲み物をかけないようにすることができるカップホルダーではない。
【００１１】
例えば、特許文献１に開示されたコップホルダ１０００の場合、熱い飲み物を入れた紙コップの熱さの問題を解消することはできるが、水が入ったグラスや、ワインやシャンパンが入ったワイングラス（シャンパングラス）のサーブに役立つものではない。具体的には、ワイングラスなどの容器にコップ保持体１２１０をひっかけることができない。特許文献２に開示されたコップセット２０００の場合、冷たい飲料を保冷することはできるものの、これも、ホテル内のレストランでのサーブに役立つものではない。
【００１２】
本願考案者は、既存のコップホルダなどでは、飲み物が入ったグラスをトレイの上に置いた状態でサーブ中にグラス中の液体がこぼれないようにするのは難しいと思っていたが、鋭意検討した結果、上述の問題を解決できる手法を見つけて本考案に至った。本考案はかかる点に鑑みてなされたものであり、その主な目的は、ホテル内のレストラン・会場でサーブする際にグラス中の飲み物がこぼれないようにコップを保持することができるコップホルダを提供することにある。
【課題を解決するための手段】
【００１３】
本考案に係るコップホルダは、ゴブレットおよびタンブラーの両方を保持可能なコップホルダであり、ゴブレットのフット部を保持する板状部材と、前記板状部材の上に形成され、タンブラーを保持する環状壁部とを備えている。前記板状部材には、前記フット部が挿入可能な隙間を形成する複数の脚部が形成されており、前記板状部材および前記環状壁部には、前記ゴブレットのステム部が通過可能なステム開口部が形成されている。前記複数の脚部のうちの少なくとも一つの底面には、磁石部材が設けられている。
【００１４】
ある好適な実施形態において、前記コップホルダは、盆と組み合わせて使用され、前記盆の少なくとも主面は、磁性材料から構成されている。前記磁石部材は、前記盆の主面に磁力によって固定される。前記板状部材の中心部には、前記ゴブレットのステム部を保持する中心開口部が形成されており、前記板状部材の部分に形成された前記ステム開口部は、前記中心開口部と連続して形成されている。
【００１５】
ある好適な実施形態において、前記環状壁部は、上部が開口した円環状部材であり、前記板状部材の前記中心開口部が形成された周囲の上面部は、前記タンブラーの底面を保持する部位である。前記板状部材の部分に形成された前記ステム開口部を規定する側面は、前記板状部材の中心から外側に向かって開口が大きくなるように形成されている。前記複数の脚部は、少なくとも三本の脚部であり、前記少なくとも三本の脚部の底面には、前記磁石部材が配置されている。
【００１６】
ある好適な実施形態において、前記磁石部材は、前記脚部の前記底面にネジ留めで固定されている。
【００１７】
ある好適な実施形態において、前記前記脚部の前記底面には、ねじ穴が形成されており、前記磁石部材と前記底面との間にはワッシャが配置されている。
【００１８】
ある好適な実施形態において、前記板状部材は、前記ステム開口部が形成されている部位との反対側の部位に突起部を備えている。
【００１９】
本考案に係るコップホルダは、ゴブレットおよびタンブラーの両方を保持可能なコップホルダであり、タンブラーを保持する環状壁部と、前記環状壁部から延びた複数の延長部とを備えている。前記環状壁部には、前記ゴブレットのステム部が通過可能なステム開口部が形成されている。前記複数の延長部のそれぞれには、前記ゴブレットのフット部が挿入可能な隙間を形成する脚部が形成されている。前記複数の脚部のうちの少なくとも一つの底面には、磁石部材が設けられている。
【００２０】
ある好適な実施形態において、前記コップホルダは、盆と組み合わせて使用され、前記盆の少なくとも主面は、磁性材料から構成されており、前記磁石部材は、前記盆の主面に磁力によって固定される。前記環状壁部の底面には、板状部材が形成されており、前記板状部材の中心部には、前記ゴブレットの前記ステム部を保持する中心開口部が形成されている。前記板状部材の部分に形成された前記ステム開口部は、前記中心開口部と連続して形成されている。
【００２１】
ある好適な実施形態において、前記環状壁部は、上部が開口した円環状部材であり、前記環状壁部の底面に位置する前記板状部材は、円盤部材である。前記円盤部材のうちの前記中心開口部が形成された周囲の上面部は、前記タンブラーの底面を保持する部位である。前記円盤部材に形成された前記ステム開口部を規定する側面は、前記円盤部材の中心から外側に向かって開口が大きくなるように形成されている。
【００２２】
ある好適な実施形態において、前記複数の延長部は、少なくとも三本の延長部である。前記少なくとも三本の延長部の一つは、前記ステム開口部の反対側に配置されており、当該反対側に配置された前記延長部の前記脚部は、他の前記延長部の前記脚部よりも短い。
【００２３】
ある好適な実施形態において、前記磁石部材は、前記脚部の前記底面にネジ留めで固定されている。
【００２４】
本考案に係るコップホルダは、ゴブレットを保持可能なコップホルダであり、板状部材と、前記板状部材から延びた複数の延長部とを備えている。前記板状部材には、前記ゴブレットのステム部が通過可能なステム開口部が形成されている。前記複数の延長部のそれぞれには、前記ゴブレットのフット部が挿入可能な隙間を形成する脚部が形成されており、前記複数の脚部のうちの少なくとも一つの底面には、磁石部材が設けられている。
【００２５】
ある好適な実施形態において、前記コップホルダは、盆と組み合わせて使用され、前記盆の少なくとも主面は、磁性材料から構成されており、前記磁石部材は、前記盆の主面に磁力によって固定される。前記板状部材の中心部には、前記ゴブレットのステム部を保持する中心開口部が形成されており、前記板状部材の部分に形成された前記ステム開口部は、前記中心開口部と連続して形成されている。
【００２６】
ある好適な実施形態において、前記板状部材の部分に形成された前記ステム開口部を規定する側面は、前記板状部材の中心から外側に向かって開口が大きくなるように形成されている。前記複数の延長部は、少なくとも三本の脚部であり、前記少なくとも三本の脚部のそれぞれの底面には、前記磁石部材が配置されている。前記少なくとも三本の延長部の一つは、前記ステム開口部の反対側に配置されており、当該反対側に配置された前記延長部の前記脚部は、他の前記延長部の前記脚部よりも短い。
【００２７】
ある好適な実施形態において、前記板状部材は、略三角形の形状を有しており、前記略三角形の各頂点から、前記延長部が延びており、前記磁石部材は、前記脚部の前記底面にネジ留めで固定されている。
【００２８】
本考案に係るコップホルダは、ゴブレットを保持可能なコップホルダであり、板状部材と、前記板状部材の底面に形成された複数の脚部とを備えている。前記板状部材には、前記ゴブレットのステム部が通過可能なステム開口部が形成されており、前複数の脚部は、前記ゴブレットのフット部が挿入可能な隙間を形成する脚部であり、前記複数の脚部のうちの少なくとも一つの底面には、磁石部材が設けられている。
【００２９】
ある好適な実施形態において、前記コップホルダは、盆と組み合わせて使用され、前記盆の少なくとも主面は、磁性材料から構成されており、前記磁石部材は、前記盆の主面に磁力によって固定される。前記板状部材の中心部には、前記ゴブレットのステム部を保持する中心開口部が形成されており、前記板状部材の部分に形成された前記ステム開口部は、前記中心開口部と連続して形成されている。
【００３０】
ある好適な実施形態において、前記板状部材の部分に形成された前記ステム開口部を規定する側面は、前記板状部材の中心から外側に向かって開口が大きくなるように形成されている。前記板状部材の底面には、前記脚部のよりも長さを有する支柱部が形成されている。前記板状部材は、前記ステム開口部が形成されている部位との反対側の部位に突起部を備えている。
【００３１】
ある好適な実施形態において、前記板状部材は、楕円形または円形の形状を有しており、前記磁石部材は、前記脚部の前記底面にネジ留めで固定されている。
【００３２】
本考案に係るコップホルダは、ゴブレットおよびタンブラーの両方を保持可能なコップホルダであり、ゴブレットのフット部を保持する板状部材と、タンブラーを保持する環状壁部とを備えている。前記板状部材には複数の脚部が形成されている。前記複数の脚部のうちの少なくとも一つの底面には、磁石部材が設けられている。
【００３３】
本考案に係るコップホルダは、タンブラーを保持する環状壁部と、正多面体の形状を有する板状部材とを備えている。前記板状部材の裏面には、磁石部材が設けられている。
【００３４】
ある好適な実施形態において、前記板状部材は、正六角形の形状を有しており、前記環状壁部の内部に花が挿入される。
【考案の効果】
【００３５】
本考案に係るコップホルダによれば、ゴブレットのフット部を保持する板状部材に複数の脚部が形成され、タンブラーを保持する環状壁部および板状部材にステム開口部が形成され、そして、複数の脚部のうちの少なくとも一つの底面には磁石部材が設けられているので、磁石の力によって、ゴブレットのフット部を板状部材で盆に押さえつけて保持（ホールド）することができる。また、環状壁部によってタンブラーを保持した状態で、磁石の力によってタンブラーを盆から落ちないようにすることができる。その結果、飲み物が入ったコップ（ゴブレットグラス、タンブラグラス）を盆（トレイ）の上に置いた状態でサーブしても、コップ中の液体がこぼれないようにすることができる。また、磁石の力で固定しているので、本考案のコップホルダを盆に取り付けるだけでなく、取り外しも便利である。
【図面の簡単な説明】
【００３６】
【図１】特許文献１に開示されたコップホルダ１０００を示す図である。
【図２】特許文献２に開示されたコップセット２０００を示す図である。
【図３】本考案の実施形態に係るコップホルダ１００の使用状態を示す斜視図である。
【図４】本考案の実施形態に係るコップホルダ１００の使用状態を示す斜視図である。
【図５】本考案の実施形態に係るコップホルダ１００の正面側の構成を示す斜視図である。
【図６】本考案の実施形態に係るコップホルダ１００の底面側の構成を示す斜視図である。
【図７】本考案の実施形態に係るコップホルダ１００の構成を示す正面図（倒立図）である。
【図８】本考案の実施形態に係るコップホルダ１００の構成を示す底面図である。
【図９】本考案の実施形態に係るコップホルダ１００の使用状態を示す斜視図である。
【図１０】本考案の実施形態に係るコップホルダ１００の正面側の構成を示す斜視図である。
【図１１】本考案の実施形態に係るコップホルダ１００の背面側の構成を示す斜視図である。
【図１２】本考案の実施形態に係るコップホルダ１００の構成を示す側面図である。
【図１３】本考案の実施形態に係るコップホルダ１００の構成を示す上面図である。
【図１４】本考案の実施形態に係るコップホルダ１００の構成を示す断面図（側面図）である。
【図１５】本考案の実施形態に係るコップホルダ１００の構成を示す上面図である。
【図１６】本考案の実施形態に係るコップホルダ１００の構成を示す斜視図（透視図）である。
【図１７】本考案の実施形態に係るコップホルダ１００の使用状態を示す斜視図である。
【図１８】本考案の実施形態に係るコップホルダ１０１の構成を示す斜視図（背面側）である。
【図１９】本考案の実施形態に係るコップホルダ１０１の構成を示す斜視図（正面側）である。
【図２０】本考案の実施形態に係るコップホルダ１０１の構成を示す側面図である。
【図２１】本考案の実施形態に係るコップホルダ１０１の構成を示す上面図である。
【図２２】本考案の実施形態に係るコップホルダ１０１の構成を示す断面図（側面図）である。
【図２３】本考案の実施形態に係るコップホルダ１０１の構成を示す上面図である。
【図２４】本考案の実施形態に係るコップホルダ１０１の構成を示す斜視図（透視図）である。
【図２５】本考案の実施形態に係るコップホルダ１０２の構成を示す斜視図（背面側）である。
【図２６】本考案の実施形態に係るコップホルダ１０２の構成を示す側面図である。
【図２７】本考案の実施形態に係るコップホルダ１０２の構成を示す上面図である。
【図２８】本考案の実施形態に係るコップホルダ１０２の構成を示す斜視図（正面側）である。
【図２９】本考案の実施形態に係るコップホルダ１００（１００Ｄ、１００Ｅ）の使用状態を示す斜視図である。
【図３０】本考案の実施形態に係るコップホルダ１０５の構成を示す側面図である。
【図３１】本考案の実施形態に係るコップホルダ１０５の構成を示す底面図である。
【図３２】本考案の実施形態に係るコップホルダ１０５の構成を示す斜視図（透視図）である。
【図３３】本考案の実施形態に係るコップホルダ１０５の使用状態を示す斜視図である。
【図３４】本考案の実施形態に係るコップホルダ１０５（１０５Ａ〜１０５Ｃ）の使用状態を示す斜視図である。
【考案を実施するための形態】
【００３７】
本願考案者は、従来のコップホルダを用いたり、または、サーブする人（ウエイトレス、ウエイター）の習熟度を上げる手法ではなく、飲み物が入ったコップ（グラス）をトレイ（トレンチ）の上に置いた状態でサーブ中にグラス中の液体がこぼれないようにする新たなコップホルダを考案した。以下、図面を参照しながら、本考案の好適な実施形態を説明する。以下の図面においては、説明の簡潔化のために、同じ作用を奏する部材、部位には同じ符号を付し、重複する説明は省略または簡略化することがある。また、各図における寸法関係（長さ、幅、厚さ等）は、基本的にその寸法関係を満たすようにしたが、必ずしも実際の寸法関係を正確に反映していない場合がある。
【００３８】
また、本明細書において特に言及している事項以外の事柄であって本考案の実施に必要な事項は、当該分野における従来技術に基づく当業者の設計事項として把握され得る。本考案は、本明細書及び図面によって開示されている内容と当該分野における技術常識とに基づいて実施することができる。加えて、本考案は、以下の実施形態に限定されるものではない。
【００３９】
（実施形態１）
図３および図４は、本考案の実施形態に係るコップホルダ１００を使用している状態の構成を示している。本考案のコップホルダ１００は、コップ１０（またはコップ１１）を保持するコップホルダである。図３の使用例は、コップ１０がゴブレット（例えば、ワイングラス）であるときに、コップホルダ１００（１００Ａ）がコップ１０をホールド（保持）している状態を示している。また、図４の使用例は、コップ１１がタンブラーグラス（例えば、取っ手のないガラスグラス）であるときに、コップホルダ１００（１００Ｂ）がコップ１１をホールド（保持）している状態を示している。また、図５は、本実施形態に係るコップホルダ１００にゴブレット１０がホールドされている状態の構成を説明するための図である。加えて、図６は、本実施形態のコップホルダ１００単体の斜視図であり、コップホルダ１００の裏面の構造を見やすく表している。図７は、本実施形態のコップホルダ１００単体の側面図であり、図６との関係で、倒立した状態で示している。図８は、本実施形態のコップホルダ１００単体の底面図である。
【００４０】
なお、本実施形態において「コップ」とは、「カップ」と「グラス」とを包含する飲み物用の容器のことを意味する。また、「カップ」とは、取っ手つきの暖かい飲み物用のコップのことを意味し、典型的には、陶器製のカップ、例えば、コーヒーカップ、ティーカップ、マグカップである。「グラス」とは、取っ手のない飲み物用のコップのことを意味し、典型的には、冷たい飲み物用のガラス製コップのことを意味する。本実施形態において「コップ」と称する場合、ガラスコップ、セラミックコップ、金属コップ、紙コップ、プラスチックコップを意図していることが多い。また、本実施形態の「グラス」と称する場合、ガラス製グラス、紙製グラス、プラスチック製グラスを意図していることが多く、具体的には、タンブラーグラス、ワイングラス、シャンパングラス、ブランデーグラス、カクテルグラス、ゴブレットなどである。説明を簡明にする上で、「タンブラーグラス」をガラスコップと称する場合がある。また、「ワイングラス」は、「シャンパングラス」や「ブランデーグラス」も含めて「ワイングラス」と称する場合があり、足つきグラスの「ゴブレット」も、ワインを入れない場合であっても「ワイングラス」と称する場合もある。本実施形態において「ゴブレット」は、図３に示すように、上部開口１５を有するボウル部（容器部）１２と、径細のステム部１７と、フット部１９とから構成されているものとする。本実施形態において「タンブラーグラス」は、単に「タンブラー」と称し、図４に示すように、取っ手のついてない容器部１２を有するグラス１１を意味するものとする。
【００４１】
本実施形態のコップホルダ１００は、ゴブレット１０およびタンブラー１１の両方を保持可能なコップホルダである。特に図５に示すように、本実施形態のコップホルダ１００は、ゴブレット１０のフット部１９を保持する板状部材３０と、板状部材３０の上に形成された環状壁部２０を備えている。特に図４に示すように、環状壁部２０は、タンブラー１１を保持することができる。なお、ここでの保持は、コップ（ゴブレット１０，タンブラー１１）が倒れないようにホールドすることを意味し、接触している場合とともに、部材（３０、２０）とコップとの間に隙間がある場合もある。
【００４２】
本実施形態の板状部材３０には、ゴブレット１０のフット部１９が挿入可能な隙間Ｓを形成する複数の脚部３２が形成されている。図示した例では、脚部３２は３つであり、板状部材３０の裏面側に均等になるように（ここでは、正三角形の頂点の位置で）配置されている。なお、脚部３２の本数は、３つに限らず、それ以外のものでもよいが、少なくとも３つあれば盆５０の上で安定させやすいという利点がある。
【００４３】
板状部材３０および環状壁部２０には、ゴブレット１０のステム部１７が通過可能なステム開口部４０が形成されている。ステム部１７は、ボウル部（容器部）１２と、土台となるフット部１９とをつなぐ部位で、ボウル部（容器部）１２およびフット部１９の径よりも細い。そして、ステム部１７は細いので、ステム開口部４０はそんなに大きく開口しなくても、ステム部１７を通過可能なスリットを形成することができる。
【００４４】
本実施形態の構成では、複数の脚部３２のうちの少なくとも一つの底面には、磁石部材３５が設けられている。本実施形態の３つの脚部３２のいずれの底面にも磁石部材３５が形成されている。本実施形態の磁石部材３５は永久磁石であり、その種類は問わないが、例えばフェライト磁石などである。小さくて強力な磁力を持たせたい場合は、磁石部材３５として、ネオジム磁石などを用いても構わない。また、安価なものを使用したい場合は、フェライト磁石などが好ましい。
【００４５】
図３及び図４に示した盆（トレイ）５０は、磁石部材３５に、磁力的に結合する磁性材料（例えば、鉄、ステンレスなど）から構成されている。なお、盆５０の主面５１ａが、磁石にくっつく磁性材料であればよく、この主面５１ａに磁性シート（磁石に引っ付く磁性材料を含むシート）を貼ったものであってもよい。なお、この例の盆５０は、レストランやホテルなどでの飲食で使用するトレイであり、コップ１０（１１）や食器を配置する主面５１ａの周囲に傾斜面５２が配置されており、その傾斜面５２の外側に外縁部５３が設けられている。なお、本実施形態のコップホルダ１００と盆５０とのセットを、コップホルダセット２００とする。
【００４６】
本実施形態の板状部材３０の中心部には、ゴブレット１０のステム部１７を保持する中心開口部４１が形成されている。そして、その中心開口部４１は、板状部材３０の部分に形成されたステム開口部４０と連続して繋がって形成されている。したがって、本実施形態のコップホルダ１００に、ゴブレット１０を挿入する場合は、ステム開口部４０がステム部１７を誘導（ガイド）するガイド部となって、そして、中心まで移動したらステム開口部４０は中心開口部４１で収まる。
【００４７】
また、ゴブレット１０のフット部１９は、脚部３２による底上げで出来た隙間Ｓを通って、板状部材３０の下方に潜り込むことができる。この状態で、板状部材３０（特に、板状部材の底面３０ｅ）はフット部１９の上面に接触し、そして、その状態で磁石部材３５の磁力によって板状部材３０がフット部１９を盆５０で挟みこんで、ゴブレット１０（特に、飲み物入りのゴブレット）を固定することができる。
【００４８】
本実施形態の環状壁部２０は、上部が開口２５した円環状部材である。この上部開口２５からタンブラー１１を入れることができる。図５では、環状壁部２０の上面２０ｓおよび外壁（外面）２０ｓも示している。環状壁部２０は、他の構造、例えば、上面から見て正多面体（六角形・八角形）の環状壁部にすることもできるが、コップ１１は円形のものが多いので、円環状部材にすることが好ましい。本実施形態では、板状部材３０も、円環状部材２０に併せて円形（円盤部材）にしているが、これも他の形状（例えば、正多面体（六角形など）にしても構わない。図５では、板状部材３０の上面（外縁上面）３０ｔおよび側面（外縁側面）３０ｓも示している。なお、環状壁部２０（円環状部材）と称しているが、ステム部１７を出し入れするステム開口部（スリット）４０が環状壁部２０に形成されているので、厳密な環状の構造になっていない点は上述した通りである。
【００４９】
そして、板状部材３０の中心開口部４１が形成された周囲の上面部３０ｕは、タンブラー１１の底面１８を保持する部位となっている。具体的には、図４に示すように、タンブラー１１を上部開口２５から入れると、タンブラー１１の底面１８は、環状壁部２０で囲まれた部分の環状壁部２０の上面３０ｕに載置される。タンブラー１１は、環状壁部２０によって保持（ホールド）され、そして、環状壁部２０を含むコップホルダ１００は磁石部材３５によって盆５０に固定される。したがって、タンブラー１１（特に、飲み物入りのタンブラー）を安定して盆５０の上に固定することができる。なお、本実施形態のコップホルダ１００は、ステム開口部（スリット）４０が環状壁部２０に形成されているので、そのスリット４０内に、カップの取っ手を配置したら、取っ手つきのカップをホールドすることもできる。
【００５０】
本実施形態の構成では、特に図６に示すように、ステム開口部４０を規定する側面４２は、板状部材３０の中心（４１）から外側に向かって開口が大きくなるように形成されている。言い換えると、ステム開口部４０の中心側の幅（Ｌ１）は、外側の幅（Ｌ２）よりも狭くなっている。また、ステム開口部４０の中心側の幅（Ｌ１）よりも、中心開口部４１の径（直径）の方が大きい。このようにステム開口部４０および中心開口部４１を構成することで、ステム部１７（およびフット部１９）を簡単に（かつ安定して）中心開口部４１に（カチッと）はめ込むことができる。図示した構成では、ステム開口部４０は扇型の形状のスリットとなっている。ステム開口部４０の開口角度は限定されるものではなく適宜好適な角度を採用すればよいが、その角度θは、例えば１０°から３０°（典型的には２０°±５°）である。また、この例では、ステム開口部４０を規定する側面４２は直線的に延びているが、曲線（または所定の関数に従ったもの）で延びるようにしてもよい。なお、ステム開口部４０の幅（Ｌ１、Ｌ２）、角度θ、または、ステム開口部４０を規定する側面４２は、使用するコップ（ゴブレット）１０にあわせて好適なものを使用・設計することが望ましい。
【００５１】
本実施形態の構成では、磁石部材３５は、脚部３２の底面にネジ留めで固定されている。図７は、ネジ構造の磁石部材３５を、脚部３２に挿入する様子を示している。ここでは、磁石部材（ネジ頭部）３５の表面には、プラス（またはマイナス）のネジ穴が形成されており、磁石部材３５から延びたネジ軸（ネジ部）３４が脚部３２に挿入されて固定される。ネジ構造の磁石部材３５が脚部３２に挿入された様子を図８に示す。図８に示すように、本実施形態の脚部３２にはネジ穴３１が形成されている。したがって、そのネジ穴３１にネジ軸３４をネジ締め器具（ドライバー）で挿入して固定する。本実施形態の磁石部材３５を、接着剤などの接着手段で脚部３２の底面に固定することは可能であるが、ネジ固定すると、磁石部材３５が抜け落ちる心配がないので安心である。レストランにおいては異物が料理・飲み物に混入するのは厳禁であるので、本実施形態の磁石部材３５がネジ留めされていることの利点は大きい。もちろん、磁石部材３５が外れない手法を採用するのであれば、ネジ留め以外の手法で固定することも好ましい。
【００５２】
また、本実施形態の構成（特に、図７および図８）では、ネジ構造の磁石部材３５と、脚部３２との間にワッシャ３３を介在させている。これは、ワッシャ３３を介在させることで、脚部３２の高さを容易に調節でき、すなわち、ゴブレット１０のフット部１９が挿入可能な隙間Ｓを調節することができる。これにより、ゴブレット１０のフット部１９の高さが異なるものをホールドする必要がでてきても、脚部３２を設計し直さなくても、介在させるワッシャ３３の厚さによって高さを調整することができる。また、ワッシャ３３の介在によって、磁石部材３５の磁力が強すぎて外れにくい場合でも、その磁力の調整を行うことができて、便利である。
【００５３】
図７および図８に示した構成例では、板状部材（円盤部材）３０の裏面３０ｅの中央部は凹んでおり（凹部３８）、その外縁に円形外縁部３０ｔが形成されているが、この形状に限定されるものではない。本実施形態のコップホルダ１００においては、脚部３２によって、フット部１９が挿入可能な隙間Ｓが確保できれば、板状部材（円盤部材）３０の裏面３０ｅの構造に特に制約はないので、例えば、裏面３０ｅの中央部と円形外縁部３０ｔとが同一面にあるような構造であっても構わない。
【００５４】
また、図示した構成例においては、板状部材（円盤状部材）３０の寸法（径）は、環状壁部（円環状壁部）２０の外径よりも大きい。板状部材３０が円形以外の形状である場合は、円環状壁部２０の外径よりも大きな寸法を有する形状の板状部材となる。また、環状壁部（円環状壁部）２０の内径は、使用するタンブラー１１の外径よりも大きいが、環状壁部２０によってタンブラー１１をホールドする上では、必要以上に大きすぎない方が好ましい。これらの寸法は、使用するコップ１０にあわせて適宜好適なものを採用することが好ましい。また、本実施形態の環状壁部（円環状壁部）２０は垂直方向（延長方向）に延びているが、少し傾斜されても構わない。特に、上方の開口２５が広くなるように環状壁部２０を傾斜させて、タンブラー１１を心持ち入れやすくするような形状にしてもよい。
【００５５】
本実施形態の環状壁部２０および底面の板状部材３０（３０ｕ）は、タンブラー１１から落ちてきた水滴を留めておく機能も有している。これにより、冷えたタンブラー１１に付いた水滴で、盆５０が濡れてしまうことを抑制することができる。加えて、図４に示したコップ（タンブラー）１１は、透明のガラスコップであるが、プラスチックコップ（例えば、水やアイスコーヒーを入れるコップ）であっても、不透明のプラスチックコップ（着色プラスチックコップ）であっても、紙コップであっても構わない。
【００５６】
本実施形態のコップホルダ１００は、樹脂材料で一体的に成形されている。例えば、コップホルダ１００は、金型による樹脂成形、３Ｄプリンター成形などで作製することができる。なお、本実施形態のコップホルダ１００を、パーツに分けて、分解・組立可能なように作製することも可能である。加えて、コップホルダ１００は、樹脂材料だけでなく、他の材料（例えば、金属、セラミック、木材など）から構築することも可能である。
【００５７】
また、本実施形態のコップホルダ１００は、使用するコップ１０にあわせて設計・製造されるので、その具体的な形状・寸法は適宜好適なものが選択される。例示的にコップホルダ１００の寸法を示すと、コップホルダ１００の高さは、例えば、３０ｍｍ〜９０ｍｍ（典型的には、６０ｍｍ±２０ｍｍ）。隙間Ｓは、例えば、３ｍｍ〜１５ｍｍ（典型的には、８ｍｍ±４ｍｍ）。また、コップホルダ１００の環状壁部２０の開口部２５における内径は、例えば、４０ｍｍ〜９０ｍｍ（典型的には、７０ｍｍ±１０ｍｍ）である。なお、これらは例示であるので、それらの寸法に限定されるものでなく、他の寸法を採用することも可能である。また、コップホルダ１００の形状・構造についても図５から図８に示したものだけでなく、他の形状・構造のものを採用することも可能である。
【００５８】
本実施形態のコップホルダ１００を盆５０から外す時は、まず、手で力を入れて、磁石部材３５の磁力に対抗して、コップホルダ１００を外すことができる。その他に、図９に示すように、本実施形態のコップホルダ１００Ａを矢印５８の方に移動させて、盆５０の傾斜面５２（接触部分５２Ａ）を利用して、コップホルダ１００Ａを盆５０から簡単に外すことができる。図９のコップホルダ１００Ｂに示すように、板状部材３０の一部に突起部３７を形成して、その突起部３７を上から押すようにして（矢印５９参照）、コップホルダ１００Ｂを外すこともできる。突起部３７は、ステム開口部４０が形成されている部位との反対側の部位（背面側、後ろ側）に形成すると、外すのが便利である。突起部３７は、環状壁部２０に形成してもよい。
【００５９】
本実施形態の構成では、複数（３つ）の脚部３２の底面のすべてに磁石部材３５を配置したが、例えば、１つの脚部３２の底面だけに磁石部材３５を付けて、あとの脚部３２の底面には滑り難い材料（ゴム材料、エラストマー材料など）を付けるような構成にしても構わない。これは、磁石部材３５が付いた脚部３２が盆５０への固定の役割を担い、残りの脚部３２は滑り止めの役割を担うようにしたものである。図示した例では、例えば、ステム開口部４０側（正面側、前方側）の２つの脚部３２の底面に磁石部材３５を付けて、後ろの１つの脚部３２は単に支えるような機能を持たせてもよい。なお、脚部３２の底面に磁石部材３５を配置した例を主に説明したが、脚部３２の全体（または、少なくとも底面を含む部位）を磁石（磁性材料）で構築しても構わない。そのような脚部３２自体が磁力を有するものも、本考案の実施形態における磁石部材を設けたものに含めるものとする。
【００６０】
本考案の実施形態に係るコップホルダ１００では、ゴブレット１０のフット部１９を保持する板状部材３０に複数の脚部３２が形成され、タンブラー１１を保持する環状壁部２０および板状部材３０にステム開口部４０が形成されている。そして、複数の脚部３２のうちの少なくとも一つの底面には磁石部材３５が設けられているので、磁石の力によって、ゴブレット１０のフット部１９を板状部材で盆５０に押さえつけて保持（ホールド）することができる。また、環状壁部２０によってタンブラー１１を保持した状態で、磁石の力によってタンブラー１１を盆５０から落ちないようにすることができる。その結果、飲み物が入ったコップ（ゴブレットグラス１０、タンブラーグラス１１）を盆（トレイ）５０の上に置いた状態でサーブしても、コップ中の液体がこぼれないようにすることができる。また、磁石の力で固定しているので、本考案のコップホルダを盆に取り付けるだけでなく、取り外しも便利であるので、ホールドだけでなく取り外しの面からも、サーブの準備およびサーブ実行時・片付けのいずれの時点でも便利である。さらには、本実施形態のコップホルダ１００は、ホテルのレストラン・会場だけでなく、飛行機や列車内でのドリンクサーブの時にも便利である。
【００６１】
さらに、本実施形態のコップホルダ１００を用いると、ホテル内のレストラン・会場でのサーブ中に、高価な衣装（例えば、数百万から数千万円の和装など）に飲み物を掛けてしまう可能性を限界まで低減することができる。特に、テーブルとテーブルの間の狭いスペースを、飲み物が入ったグラスを片手でトレイに載せて移動しても、迅速かつ安定してサーブを行うことができる。その結果、グラスの飲み物をこぼさないようにする高度な訓練を簡略化することができ、教育コストも抑えることができるとともに、必要以上のサーブする人を配置しなくてもよいので人件費高騰を抑えることができる。加えて、迅速にサーブできることにより、お客への満足度を高めることができる。
【００６２】
（実施形態２）
本考案者は、上記実施形態１のコップホルダ１００の改変例も考案したので、以下に説明する。なお、基本的な説明は、上記実施形態１のものと同じであるので、重複点については説明の簡明のために、できるだけ説明を省略する。
【００６３】
図１０は、本考案の実施形態２のコップホルダ１００の斜視図である。本実施形態のコップホルダ１００では、環状壁部２０から複数の延長部３９Ａ及び３９Ｂが延びており、その延長部３９Ａ及び３９Ｂには、隙間Ｓを形成する脚部３２が形成されている。そして、脚部３２の底面には磁石部材３５が形成されている。
【００６４】
上述した実施形態１では、板状部材３０に脚部３２が形成されているが、この実施形態２では、環状壁部２０から延びた部位に脚部３２が形成されている。そして、脚部３２の底面に磁石部材３５が形成されていることで、磁石部材３５の磁力によって盆５０に固定（そして脱着）させることができる。図１０に示したコップ（タンブラー）１１Ｂは、容器部１２において径細部１３が形成された形状をしている。このコップ１１Ｂの底面１８は、環状壁部２０で囲まれた底面（３０ｕ）に載置されることにある。また、ゴブレット１０も、本実施形態のコップホルダ１００で固定することができる。
【００６５】
図１１から図１６は、本実施形態のコップホルダ１００の他の構成例を示している。図１１に示したコップホルダ１００は、環状壁部２０からの連続部２９を通じて、延長部３９（３９Ａ、３９Ｂ）が形成されている。図１１に示した例では、環状壁部２０の下に位置する板状部材（円盤状部材）３０から延長部３９（３９Ａ、３９Ｂ）が延びている。
【００６６】
また、図１２に示すように、後方側に位置する脚部３２Ｂは、前方側に位置する脚部３２よりも短くなるように構成されている（すなわち、ギャップＧだけ短い）。脚部３２Ｂが短いことにより、図示したコップホルダ１００は後方に傾くことで（脚部３２Ｂが主面５１ａに接地し）、全ての脚部３２Ｂの長さが同じ場合よりも、ゴブレット１０のフット部１９を抑えやすくすることができる。
【００６７】
なお、図１３は、図１１および図１２に示したコップホルダ１００の上面図であり、図１４、図１５および図１６は、それぞれ、当該コップホルダ１００の側面図、上面図、斜視図（透過図）である。本実施形態の使用例を図１７に示す。
【００６８】
（実施形態３）
図１８および図１９は、本考案の実施形態３のコップホルダ１０１の斜視図である。本実施形態のコップホルダ１０１は、ゴブレット１０をホールドする機能を有するものである。図１８は、本実施形態３のコップホルダ１０１を背面側から示しており、そして、図１９は、正面側から示している。
【００６９】
本実施形態３のコップホルダ１０１は、板状部材６０から延びた複数の延長部６１（６１、６１Ｂを備えている。複数の延長部６１には隙間Ｓを形成する脚部３２が形成されており、脚部３２の底面には、磁石部材３５が設けられている。本実施形態３の構成では、板状部材６０は、略三角形の形状を有しており、その略三角形の各頂点から、延長部６１が延びている。ここで、「略三角形」とは、概ね三角形（実質的に三角形）のことを意味し、図１８に示すように、歪なもので構わない。なお、板状部材６０は、三角形（略三角形）でなく、他の形状（例えば、略四角形、略六角形など）のものでも構わない。
【００７０】
図２０に示すように、本実施形態の構成でも、上記実施形態２と同様に、後方の脚部３２Ｂは、他の脚部３２よりも短く構成している。これにより、ゴブレット１０のフット部１９をホールドしやすくなる。なお、図２１は、図２０に示したコップホルダ１０１の上面図であり、図２２、図２３および図２４は、それぞれ、当該コップホルダ１０１の側面図、上面図、斜視図（透過図）である。
【００７１】
（実施形態４）
図２５は、本考案の実施形態４のコップホルダ１０２の斜視図である。本実施形態のコップホルダ１０２は、ゴブレット１０をホールドする機能を有するものである。図２５は、本実施形態４のコップホルダ１０１を背面側から示している。本実施形態のコップホルダ１０２では、板状部材６０の底面６０ｅに複数の脚部３２が形成されている。板状部材６０は、楕円形または円形の形状を有しているが、他の形状でも構わない。図示した例では、楕円形（長円形）の板状部材６０である。
【００７２】
また、このコップホルダ１０２では、板状部材６０の底面６０ｅに、脚部３２のよりも長さを有する支柱部６９が形成されている。また、板状部材６０の後ろ側には突起部６５が形成されている。これにより、支柱部６９を支点にして、てこの原理で、突起部６５を押すことでコップホルダ１０２を外れやすくすることができる。
【００７３】
なお、図２６は、図２５に示したコップホルダ１０２の側面図であり、突起部６５の下面の支持部材６６、および、ギャップＧ１、Ｇ２を示している。図２７は、当該コップホルダ１０２の上面図である。図２８は、本実施形態４のコップホルダ１０２の斜視図（透過図）である。
【００７４】
（実施形態５）
図２９は、本考案の実施形態５のコップホルダ１００Ｅが盆５０に載置された状態の図である。上述したコップホルダ１００等では、コップホルダ１００等の内部にゴブレット１０のフット部１９を引き込んでいたが、この例では、外に延びた板状部材７０からなる挟み部７１Ａおよび７１Ｂ（内壁面７２Ａ、７２Ｂ）によってフット部１９をホールドしている。フット部１９は、板状部材７０の挟み部７１Ａ、７２Ｂ（内壁面７２Ａ、７２Ｂ）の挟み開口部７５によってホールドされて、磁石部材３５によって盆５０に固定される。なお、図２９には、上記実施形態１のコップホルダ１００Ｄであって、板状部材３０が六角形（ここでは、正六角形）のものも示している。
【００７５】
（実施形態６）
上述の実施形態では、コップホルダ１００等の脚部３２に磁石部材３５を付けたが、それに限らず、図３０に示すように、コップホルダ１０５の板状部材３０の底面３０ｅに磁石部材３５を取り付けてもよい。図３０に示したコップホルダ１０５では、板状部材３０の底面３０ｅにシート状の磁石部材３５を取り付けている。なお、板状部材３０の底面３０ｅに穴をあけてその穴に、磁石部材３５を挿入（または、ネジ固定、埋め込みなど）するようにしてもよい。
【００７６】
図３１は、本実施形態６のコップホルダ１０５の底面図である。図３２は、コップホルダ１０５の斜視図（透過図）である。環状壁部２０で囲まれた底面２９ｅに、タンブラー１１の底面１８が載置される。また、環状壁部２０の外壁２０ｓに対する内壁２９ｓも表記している。
【００７７】
なお、本実施形態６のように、板状部材３０を六角形（または、正方形）にすると、その板状部材３０を近接させて（タイルのように）一体になるように組み合わせることができる。これは、本実施形態のコップホルダ（１０５）にコップに代えて花を入れて、フラワーベースとして使用する場合に便利である。図３３は、本実施形態のコップホルダ１０５に花９０を生けて、フラワーベースとして使用した例である。そして、図３４は、本実施形態のコップホルダ１０５Ａ〜１０５Ｃをまとめた状態の使用例である。本実施形態のコップホルダ１０５のように、底面３０ｅに磁石部材３５があると、磁石部材３５の磁力を利用して、いろんなところ取り付けることができるので便利である。そして、使用後は、簡単に取り外しができ、持ち帰ることができるのでその点でも便利である。
【００７８】
以上、本考案を好適な実施形態により説明してきたが、こうした記述は限定事項ではなく、勿論、種々の改変が可能である。例えば、上述した実施形態の区分け（実施形態１〜６）は読みやすさを優先した便宜上のものであり、各実施形態の特徴は、互いに矛盾しないかぎりにおいて相互に適用可能であり、さらに、各実施形態における補足事項・説明事項も互いに矛盾しないかぎりにおいて相互に適用可能である。例えば、実施形態１のコップホルダ１００の背面側の脚部３２の長さを、他の脚部３２（正面側の脚部）よりも短くするような改変をしてもよい。
【産業上の利用可能性】
【００７９】
本考案によれば、ホテル内のレストラン・会場でサーブする際にグラス中の飲み物がこぼれないようにコップを保持できるコップホルダを提供することができる。
【符号の説明】
【００８０】
１０   ゴブレット（コップ）
１１   タンブラー（コップ）
１１ａ 主面
１２   容器部
１７   ステム部
１９   フット部
２０   環状壁部（円環状部材）
２０   環状壁部
２５   上部開口
２９   連続部
３０   板状部材（円盤状部材）
３１   ネジ穴
３２   脚部
３３   ワッシャ
３４   ネジ軸
３５   磁石部材
３７   突起部
３８   凹部
３９   延長部
３９Ａ 延長部
４０   ステム開口部（スリット）
４１   中心開口部
５０   盆
５１ａ 盆の主面
５２   傾斜面
５３   外縁部
６０   板状部材
６１   延長部
６５   突起部
６６   支持部材
６９   支柱部
７０   板状部材
７１Ａ、７２Ｂ  挟み部
７５   挟み開口部
９０   花
１００ コップホルダ
１０１ コップホルダ
１０２ コップホルダ
１０５ コップホルダ
１０００      コップホルダ
２０００      コップセット
【図１】
0003209460.tif 000003
【図２】
0003209460.tif 000004
【図３】
0003209460.tif 000005
【図４】
0003209460.tif 000006
【図５】
0003209460.tif 000007
【図６】
0003209460.tif 000008
【図７】
0003209460.tif 000009
【図８】
0003209460.tif 000010
【図９】
0003209460.tif 000011
【図１０】
0003209460.tif 000012
【図１１】
0003209460.tif 000013
【図１２】
0003209460.tif 000014
【図１３】
0003209460.tif 000015
【図１４】
0003209460.tif 000016
【図１５】
0003209460.tif 000017
【図１６】
0003209460.tif 000018
【図１７】
0003209460.tif 000019
【図１８】
0003209460.tif 000020
【図１９】
0003209460.tif 000021
【図２０】
0003209460.tif 000022
【図２１】
0003209460.tif 000023
【図２２】
0003209460.tif 000024
【図２３】
0003209460.tif 000025
【図２４】
0003209460.tif 000026
【図２５】
0003209460.tif 000027
【図２６】
0003209460.tif 000028
【図２７】
0003209460.tif 000029
【図２８】
0003209460.tif 000030
【図２９】
0003209460.tif 000031
【図３０】
0003209460.tif 000032
【図３１】
0003209460.tif 000033
【図３２】
0003209460.tif 000034
【図３３】
0003209460.tif 000035
【図３４】
0003209460.tif 000036